(57)【要約】【課題】  番組ファイルを記録する記憶媒体を内蔵する記録装置において、記憶媒体の空き容量を確保する方法が削除しかない場合、ユーザーが持つ記録した番組を消去することに対する抵抗感を解消できない。また、再圧縮による空き容量確保では、確保できる容量に限界がある。これらの問題は、ハードディスクの容量を増加させることである程度解消できるが、根本的な解決ではなく、依然として記録した番組を消去することに対する抵抗感を拭い去ることができない。【解決手段】  ハードディスクの容量が少ないときは、前記ネットワーク制御部を通じて前記ハードディスクに保存された番組ストリームを前記ネットワーク制御部を通じて出力し、出力後にハードディスクから番組ストリームを削除することを特徴とする記録装置。【選択図】  図１
2006060630.tif 000002
【特許請求の範囲】
【請求項１】
番組ストリームおよび番組名を記録媒体に記録再生する記録再生手段と、
該記録媒体に記録された番組ストリームを、ネットワークに接続されたサーバに送受信する通信手段と、
該記録媒体に記録された番組ストリームを、現在のサイズより小さいサイズに圧縮する圧縮手段と、
該記録媒体に記録された番組ストリームを削除する優先順位を所定条件に従い自動的に設定する優先順位設定手段と、
該記録媒体に記録された番組ストリームの再生を指示する指示手段と、
該記録再生手段と該通信手段と該圧縮手段とを制御する制御手段と、
を備え、
該制御手段は、該記録媒体の残り容量が少なくなったとき、該記録媒体に記録された番組ストリームを、該優先順位設定手段で設定されている優先順位に従って、該圧縮手段により現在のサイズより小さいサイズに圧縮するか、または該通信手段により該サーバに送信するかをし、その後、該記録媒体に記録された番組ストリームを削除し、該削除した番組ストリームに対応した番組名を残すように制御し、かつ、
該制御手段は、該残された番組名に対応した番組ストリームの再生が指示されたとき、該記録再生手段により該圧縮後の番組ストリームを再生し、または該通信手段により該サーバから該番組ストリームを受信して再生するように制御すること、
を特徴とする記録装置。
【請求項２】
放送電波を受け取り、放送電波に含まれるチャネルの番組ストリームを取り出すチューナと、
前記番組ストリームを記録する記憶媒体と、
前記番組ストリームを映像信号と音声信号にデコードするデコーダと、
前記記憶媒体に記録された番組ストリームをネットワーク接続端子を通じてネットワークに出力を行うネットワーク制御部と、
前記チューナ、前記記憶媒体、前記デコーダ、前記ネットワーク制御部を制御するシステム制御部と、
前記番組ストリームを削除する優先順位を所定条件に従い自動的に設定する優先順位設定手段と、
を備え、
前記記憶媒体の残り容量が少ないときは、前記優先順位設定手段で設定された優先順位に従って、前記ネットワーク制御部を通じて前記記憶媒体に記録された番組ストリームを前記ネットワーク制御部を通じてネットワークに接続されたファイルサーバに対し出力し、出力後に記憶媒体から番組ストリームを削除し、該番組ストリームを再生するときは、前記ファイルサーバから前記ネットワーク制御部を通じて該番組ストリームを受信することを特徴とする記録装置。
【請求項３】
請求項１または２において
前記所定条件とは、該記録媒体に記録された番組ストリームの記録された日、再生回数、およびジャンルのうち１つ以上を含むこと、
を特徴とする記録装置。
【請求項４】
請求項１ないし３のいずれかにおいて、
前記番組ストリームの記録を開始する時刻を指示するための入力装置を備え、前記記憶媒体の残り容量を前記入力装置から番組ストリームの記録を開始する時刻入力したときに確認することを特徴とする記録装置。
【請求項５】
請求項４において、
前記入力装置から入力された番組ストリームの記録を終了するときに前記記憶媒体の残り容量を確認することを特徴とする記録装置。
【請求項６】
請求項４において、
前記入力装置から入力された番組ストリームの記録を開始するときに前記記憶媒体の残り容量を確認することを特徴とする記録装置。
【請求項７】
請求項４において、
前記入力装置から入力された番組ストリームの記録中に、あらかじめ定められた時間間隔で前記記憶媒体の残り容量を確認することを特徴とする記録装置。
【請求項８】
請求項２において、前記ファイルサーバに記録した番組ストリームを再生する場合、前記デコーダは前記ネットワーク制御部から番組ストリームを受け取ることを特徴とした記録装置。
【請求項９】
請求項２において、
前記ファイルサーバに記録した番組ストリームを再生する場合、前記ネットワーク制御部から前記記憶媒体に番組ストリームを移動した後に、前記記憶媒体から前記デコーダに番組ストリームを出力することを特徴とした記録装置。
【請求項１０】
請求項４ないし７のいずれかにおいて、
前記デコーダが出力する映像信号、音声信号をエンコードし、番組ストリームを作成するエンコーダを備え、
前記ネットワーク制御部から前記ファイルサーバに番組ストリームを出力する際、前記エンコーダは前記記憶媒体にある番組ストリームよりも少ないサイズの番組ストリームを前記ネットワーク制御部に出力することを特徴とする記録装置。
【請求項１１】
請求項１０において、
前記記憶媒体の残り容量が少ないときは、前記記憶媒体の番組ファイルを前記デコーダに出力し、前記エンコーダは前記記憶媒体にある番組ストリームよりも少ないサイズの番組ストリームを前記記憶媒体に記録した後で、前記デコーダに出力した番組ストリームを削除することを特徴とする記録装置。
【請求項１２】
請求項８または９において、
番組ストリームをあらかじめ定められた方法で暗号化を行う暗号化部を備え、前記記憶媒体の番組ファイルを前記ファイルサーバに移動する際、暗号化を行い前記ネットワーク制御部に出力することを特徴とした記録装置。
【請求項１３】
請求項１２において、
前記ファイルサーバから番組ファイルを読み出した際、暗号化されている場合は前記暗号化部で暗号を解くことを特徴とした記憶装置。
【請求項１４】
請求項１ないし３のいずれかにおいて、
取り外し可能な記録媒体に番組ファイルを記録するためのドライブ部を持ち、前記記憶媒体、もしくは前記ファイルサーバから番組情報を受け取り前記取り外し可能な記録媒体に書き込みを行った後、前記記憶媒体、もしくは前記ファイルサーバに記録された番組ファイルを削除することを特徴とした記録装置。
【請求項１５】
請求項１４において、
前記記憶媒体、もしくは前記ファイルサーバから番組ファイルを前記取り外し可能な記録媒体に書き込む際、番組ファイルに付随する情報を基に複数の番組ファイルを書き込むことを特徴とした記録装置。
【請求項１６】
請求項１５において、
番組ファイルに付随する情報を基に複数の番組ファイルを書き込む際、前記取り外し可能な記憶媒体の容量を超過する場合は前記エンコーダを用いて番組ファイルのサイズを減少させることを特徴とした記録装置。
【請求項１７】
請求項２において、
保存する番組ストリームの一覧を前記デコーダから映像信号として出力し、ファイルサーバに移動した番組ファイルには印を付けることを特徴とした記録装置。
【請求項１８】
請求項１４において、
保存する番組ストリームの一覧を前記デコーダから映像信号として出力し、前記取り外し可能な記憶媒体に移動した番組ファイルには印を付けることを特徴とした記録装置。
【請求項１９】
請求項４ないし７のいずれかにおいて、
前記入力装置で番組ストリームの記録を開始する時刻を指示する際、前記記憶媒体の複数に分割したフォルダの指定を行い、前記記憶媒体の残り容量が少ない場合、前記フォルダそれぞれに対して、あらかじめ定められた方法で番組ファイルを移動させることを特徴とした記録装置。
【請求項２０】
請求項１９において、
前記記憶媒体の残り容量が少ない場合の前記フォルダの番組ファイルの移動方法において、回数に応じて、あらかじめ定められた倍率の番組ファイルのサイズを前記エンコーダから出力することを特徴とした記録装置。
【請求項２１】
請求項１９において、
前記記憶媒体の残り容量が少ない場合の前記フォルダの番組ファイルの移動方法において、前記記録装置の利用者と番組ファイルの移動方法を対話的に決定することを特徴とした記録装置。
【請求項２２】
請求項１ないし３のいずれかにおいて、
前記ネットワークを通じて番組ストリームを、前記ネットワークに接続された請求項１ないし３のいずれかに記載の記録装置に対して出力することを特徴とした記録装置。
【発明の詳細な説明】
【技術分野】
【０００１】
本発明は、放送番組を記録する記録装置に関する。
【背景技術】
【０００２】
本技術分野の背景技術として、例えば、特開２００３−２８９４９０号公報（特許文献１）がある。該公報には、課題として「従来、自動的にファイルを削除して記録容量の確保を行うことにより、記録媒体を効率的に使用し、また容量不足による記録の失敗が生じないようにした記録装置がある。しかしながら、ファイル削除は予め用意されたいくつかの方法の中からユーザにより一律に選択並びに設定するものであったため、融通性に欠けるところがあった。」と記載され、解決手段として、「放送番組をその記録保持条件にかかるデータと共にＨＤＤ６等に記録し、記録されている記録保持条件にかかるデータをＭＰＵ７にてチェックし、ＨＤＤ６に記録されている放送番組のうち記録保持条件から外れた放送番組を消去するようにした。」と記載されている。
【０００３】
また、他の背景技術として、例えば、特開２００２−２３７１４１号公報（特許文献２）がある。該公報には、課題として「ハードディスク、メモリカード等に保存された画像データを削除すること無く記憶可能枚数を増やすことができるディジタルカメラ等の情報記憶装置。」と記載され、解決手段として、「画像データの付加データとして、再圧縮をする／しないを指定する情報と、再圧縮率を指定する情報と、解像度／画質のいずれかは変化させないで再圧縮することを指定する情報を設定しておき、新規に画像データを記憶する際、空き容量が少ない場合は確保したい空き容量を指定すると、確保したい空き容量が実現できるように設定情報に応じて何枚かの保存画像を再圧縮して、保存し直す。」と記載されている。
【０００４】
また、他の背景技術として、例えば、特開２００２−１９９３２２号公報（特許文献３）がある。該公報には、課題として「小型化を犠牲にせずに、撮影時間の制限を解決できる撮像装置およびこの撮像装置を用いたシステムを提供する。」と記載され、解決手段として、「撮像した画像を記録する記録媒体と、外部の画像処理装置と通信する通信部とを備えた撮像装置において、前記記録媒体に格納されている画像データを、前記通信部を介して前記外部の画像処理装置へ転送し（Ｓ４参照）、前記外部の画像処理装置から転送終了信号を受信すると（Ｓ６）、前記記録媒体に格納されている画像データのデータ量を削減するデータ変換を実行する（Ｓ７）。」と記載されている。
【０００５】
【特許文献１】特開２００３−２８９４９０号公報
【特許文献２】特開２００２−２３７１４１号公報
【特許文献３】特開２００２−１９９３２２号公報
【発明の開示】
【発明が解決しようとする課題】
【０００６】
ハードディスクを利用した映像記録装置が普及しつつある。また、デジタルＢＳ放送や地上デジタル放送などが始まり、放送もデジタル化されつつある。デジタル放送対応のテレビでは、ハードディスクなどの記録媒体を搭載することにより、容易にデジタル放送の記録再生を行なうことが可能となる。しかし、機器に内蔵するハードディスクは交換が困難であり、容量の大きいものに交換することができず、ある一定の容量に限られる。一方で、ユーザからすれば、ハードディスクに記録した番組を消去することには抵抗があるので、ハードディスクが一杯になった場合に初めて空き容量を確保する方法が望ましい。
【０００７】
特許文献１では、ユーザが番組を記録するときに番組を保持する期間を設定し、空き容量の不足が発生したときは条件に合致するファイルを削除する技術が示されている。しかし、ハードディスクの空き容量を確保する方法が削除しかない場合、ユーザが持つ記録した番組を消去することに対する抵抗感を解消できない。
【０００８】
特許文献２では、デジタルカメラにおいて、空き容量が不足した場合は記録済みのデータを再圧縮して圧縮率を高めて空き容量を確保する技術が示されている。しかし、再圧縮による空き容量確保では、確保できる容量に限界がある。
【０００９】
一方、インターネットやＬＡＮ（Ｌｏｃａｌ Ａｒｅａ Ｎｅｔｗｏｒｋ）を始めとするネットワーク技術が普及し、一般家庭にも導入されつつある。これらネットワーク技術を用いることで、高ビットレートの転送を必要とする映像情報の伝送が可能になっている。特許文献３では、撮像装置に通信部を設けて、撮像した画像を外部の画像処理装置へ転送する技術が開示されている。しかし、特許文献３では転送先の画像処理装置で再生することを前提としており、一度転送したものは撮像装置で見ることができない。
【００１０】
これらの問題は、ハードディスクの容量を増加させることである程度解消できるが、根本的な解決ではなく、依然として記録した番組を消去することに対する抵抗感を拭い去ることができない。
【００１１】
そこで、空き容量を確保するために、再圧縮をするか、あるいは外部装置へ転送して、元のデータを削除するようにすれば使い勝手が向上する。しかし、上記特許文献のいずれも、どのような優先順位で削除するのかという点については何ら考慮されてなく、優先順位が新たな課題となる。
【００１２】
本発明の目的は、使い勝手を向上させた記録装置を提供することである。
【課題を解決するための手段】
【００１３】
上記目的は特許請求の範囲に記載の発明により達成される。
【発明の効果】
【００１４】
本発明によれば、使い勝手を向上させた記録装置を提供することができる。
【発明を実施するための最良の形態】
【００１５】
以下、本発明の実施形態を図面を用いて説明する。
【実施例１】
【００１６】
図１に、本発明の第一の実施例を示す。
記録装置１００は、アンテナ入力端子１０２、チューナー１０３、データバス１０４、ハードディスク１０５、デコーダ１０６、ネットワーク制御部１０８、ネットワーク端子１０９、システム制御部１１０、リモコン受信部１１１、表示部接続端子１１４から構成され、アンテナ入力端子１０２にアンテナ１０１、表示部接続端子１１４に表示部１０７、ネットワーク端子１０９にネットワーク１１２が接続される。
【００１７】
まず、番組記録時の動作を以下に説明する。
ユーザは、図示しないリモコンなどを用いてタイマーをセットする。リモコンから発したタイマー予約情報は、赤外線などにより送信され、リモコン受信部１１１で復調された後、システム制御部１１０に入力される。システム制御部１１０は、入力されたタイマー予約情報にしたがい、予約動作を行なう。具体的には、システム制御部１１０内のメモリーにタイマー予約情報を記憶する。メモリー内に記憶したタイマー予約開始時刻は、システム制御部１１０内の時計の時刻と逐次比較され、予約開始時刻になるとタイマー予約動作を開始する。
【００１８】
タイマーにセットされた記録開始時刻になると、システム制御部１１０は、まず記録対象となるチャンネルの受信を行なうために、チューナー１０３に対してチャンネルのセットを行なう。ここで、チューナー１０３はデジタル放送に対応したものであり、指定されたチャンネルで放送されている信号を取り出し、復調して所定のデジタル信号のストリームの形で出力を行なう。このストリームは例えば、ＭＰＥＧ−ＴＳ（ＭＰＥＧトランスポートストリーム）と呼ばれる１８８バイトのパケット形式で出力される。
【００１９】
システム制御部１１０は、チューナー１０３で受信した番組をハードディスク１０５に記録するために、データバス１０４を制御し、チューナー１０３から出力されたストリームがハードディスク１０５に入力されるように切り替える。
【００２０】
また、システム制御部１１０は、ハードディスク１０５内の空き領域にストリームが記録されるように、記録位置の制御を行なう。
【００２１】
ハードディスク１０５では、入力されたストリームを指定された記録位置に記録を行なう。この時、各ストリーム中のパケットの記録時刻をタイムスタンプとしてストリームとともに記録しておくことで、再生時にパケットの出力間隔を復元することができる。
【００２２】
タイマーにセットされた記録終了時刻になると、システム制御部１１０は、ハードディスク１０５に対して記録終了を指示する。この時、システム制御部１１０は、ハードディスク１０５上の記録開始位置と記録終了位置などの情報を管理情報として、ハードディスク１０５上に記録する。これにより、記録されたストリームをファイルとして管理することができる。また、管理情報には、記録開始時刻、記録チャンネル、番組名などの情報を付加することで、容易に記録内容を判別することができる。
以上のようにして、タイマー予約された番組が、ハードディスク１０５上に記録される。
【００２３】
なお、上記例では、タイマー予約により番組の記録を行なったが、これは限定されるものではなく、番組を視聴中にユーザが録画ボタンを押すことにより録画を行なう場合でも、同様に受信した番組をハードディスク中に記録を行なうことができるのは言うまでもない。
【００２４】
次に、再生時の動作を以下に説明する。
ユーザからハードディスク１０５上の番組の再生が指示されると、システム制御部１１０は、ハードディスク１０５上に記録されている番組の番組名、記録時刻などの情報の一覧を表示部１０７に表示し、ユーザに再生を行なう番組の選択を促す。ユーザは、表示された番組の一覧から、所望の番組を選択し、再生開始を指示する。
【００２５】
システム制御部１１０は、指定された番組の記録されているハードディスク１０５上の記録位置を指定し、ハードディスク１０５からデータの再生開始を指示する。
【００２６】
ハードディスク１０５は、指示されたディスク上の所定の位置からデータの再生を開始する。記録されているストリームは、各パケットにタイムスタンプが付加されているので、そのタイムスタンプにしたがい、各パケットの出力タイミングが制御され、記録時と同じパケット間隔でパケットが出力される。
【００２７】
次に、システム制御部１１０は、ハードディスク１０５から再生されたストリームがデコーダ１０６に入力されるようにデータバス１０４を制御する。これによりハードディスク１０５から再生されたストリームがデコーダ１０６に入力される。
【００２８】
デコーダ１０６は、入力されたストリームをデコードし、映像信号および音声信号などに変換する。映像信号は表示部接続端子１１４を通じて表示部１０７に入力される。表示部１０７は映像信号の表示が行ない、音声信号は内蔵されるスピーカーから音声として出力する。
【００２９】
以上のようにして、ハードディスク１０５上に記録した番組を再生することができる。
【００３０】
なお、記録されている番組の再生を行なった場合には、再生日時や再生回数を番組の管理情報中に書き込んでおく。これにより、各番組の再生を行なった最終日時を知ることができ、長期間視聴を行っていない番組と、最近視聴を行った番組とを判別することができる。
【００３１】
次に、ハードディスク１０５上に記録された番組のファイル移動動作について説明する。
ハードディスク１０５上にはユーザにより様々な番組の記録が行なわれる。しかしながら、ハードディスク１０５の容量には限りがあり、残量がなくなると番組の記録ができなくなる。そこで、本発明にかかる記録装置では、今後再生される可能性の少ない番組のファイルを自動的にネットワーク１１２に接続されたファイルサーバ１１３へ移動する。
【００３２】
ここで、再生される可能性の少ない番組とは、例えば、長期間視聴を行っていない番組や、再生回数の極めて低い番組などである。逆に、再生される可能性の高い番組とは、繰り返し再生が行なわれた番組、ごく最近録画された番組などである。
【００３３】
これらの情報にしたがって、ハードディスク１０５上に記録されている番組に優先順位を付け、再生される可能性の低い番組のファイルをファイルサーバ１１３へと移動する。
【００３４】
ファイルのサーバへの移動は、例えば、タイマー予約をセットした時や記録終了時などに行なえばよい。もちろん、ユーザが意識的にリモコンなどからファイル移動を指示できるように構成してもよい。
【００３５】
以下、ファイルサーバ１１３へのファイルの移動を図２を用いて具体的に説明する。
まず、ユーザがリモコンを用いてタイマー予約を行なう。すなわち、Ｓ１０１でリモコン受信部１１１が、リモコンからの信号を受信し、システム制御部１１０に受信信号を出力する。システム制御部１１０は、受信したタイマー予約の情報にしたがって、タイマー予約を行ない、タイマー予約情報をシステム制御部１１０内のメモリーに記憶する。
【００３６】
次に、Ｓ１０２でシステム制御部１１０は、タイマー予約情報から、記録に必要な記録容量を計算する。タイマー予約情報には、記録開始時刻・記録終了時刻・記録チャンネル・記録モードなどの情報が含まれているので、これらの情報から、記録時間を計算し、記録モードや記録チャンネルから得られる記録データのビットレートに乗算することにより、タイマー予約時に必要な記録容量が計算される。
【００３７】
次に、Ｓ１０３でシステム制御部１１０は、ハードディスク１０５の残量を求める。具体的には、ハードディスク１０５内のファイル管理情報を読み出してハードディスク１０５内の未使用領域の大きさを計算すればよい。システム制御部１１０は、タイマー予約に必要な記録容量と、ハードディスクの残量とを比較し、タイマー予約が可能かどうかを判断する。この時、ハードディスク１０５の残量が十分にある場合には、Ｓ１０４に進み、ファイルの移動は行なわず、予約処理を終了する。
【００３８】
ハードディスク１０５の残量が、タイマー予約に必要な容量を下回っている場合には、そのままでは番組記録時にハードディスク１０５の容量が不足し、記録が中断してしまうので、Ｓ１０５でハードディスク１０５中に記録されているファイルの一部をファイルサーバ１１３へ移動する。この時、前述のようにハードディスク１０５中に記録されている各番組のファイルが再生される可能性が高いかどうかをそれぞれ判断し、ハードディスク中に保存しておく必然性の低い番組を選んで、ファイルの移動を行なう。
【００３９】
具体的には、システム制御部１１０がハードディスク１０５中に記録されている各番組の管理情報を読み出し、各番組の再生頻度や最終再生日時・ファイル容量などの情報を元に、各番組に必要性の順位付けを行なう。
【００４０】
次に、システム制御部１１０は、ネットワーク制御部１０８を制御し、ファイルサーバ１１３との通信を行なう。続いて、システム制御部１１０は、ハードディスク１０５中に記録されている番組のファイルをネットワーク制御部１０８およびネットワーク１１２を介して、ファイルサーバ１１３へと転送する。ここで、ファイルの転送では、いわゆるＦＴＰ（Ｆｉｌｅ Ｔｒａｎｓｆｅｒ Ｐｒｏｔｏｃｏｌ）などを用いることができる。ファイルがファイルサーバ１１３に転送されると、システム制御部１１０は、ハードディスク１０５内の転送済みのファイルを削除する。これによりハードディスク１０５の残量が増加する。Ｓ１０３に戻り、一つのファイルの移動を行なってもハードディスク１０５の残量が不足する場合には、ファイルの移動処理を繰り返せばよく、予め複数のファイルを移動するように制御を行なってもよい。
【００４１】
以上の処理により、所定時間の記録が可能なハードディスク容量が確保されるので、ハードディスクが一杯になり記録できないという状態を避けることができる。
【００４２】
これらファイル転送は、記録や再生とは非同期に行なうことができるので、ファイルの転送速度が遅かったり、転送速度が一定でない場合にも、記録や再生に問題を来す恐れがない。
【００４３】
なお、番組ファイルの移動を行なった場合に、記録装置１００内のハードディスク１０５には、移動を行なった番組の情報や移動先のファイルサーバ名、ファイル記録位置などの情報を記憶しておけば、番組ファイルを再度取得する際に便利である。すなわち、番組名や記録日時、番組を代表するサムネイル画面などの情報をハードディスク１０５内に残しておくことにより、ユーザは移動済みの番組の情報も得ることができ、これらの情報から必要に応じて番組を選択し、再度ファイルを取り寄せて再生することが容易になる。
【００４４】
なお、上記例では、タイマー予約のセット時や記録終了時などに自動的にストリームデータの転送を行なっていたが、これは各種の変形が可能である。例えば、ハードディスク１０５上に記録されている番組が、所定の期間、例えば、記録から１週間以上経過した場合などに転送を行なうように制御してもよい。あるいは、定期的に所定の時期、例えば、日曜日の深夜などにファイルの転送を行なうようにしてもよい。あるいは記録開始時、もしくは記録中に残りディスク容量を調べてファイルを移動してもよい。
【００４５】
以上のようにして、記録装置１００で記録を行なった番組が、所定のタイミングでファイルサーバ１１３上に移動されるので、記録装置中のハードディスク１０５が一杯になることなく、常に所定の容量が確保される。したがって、ユーザは、ハードディスク１０５の残量を意識することなく、いつでも記録を行なうことが可能となる。
【００４６】
一旦、記録装置１００からファイルサーバ１１３へ移動を行なった番組のファイルは、ユーザからの要求に応じて、記録装置１００側に戻され、視聴を行なうことができる。
【００４７】
具体的には、まず、ユーザがリモコンを用いて、再生開始を指示する。リモコンからの信号は、リモコン受信部１１１を介してシステム制御部１１０に入力される。システム制御部１１０は、図３に示すようにリモコンからの再生開始指示に応じて、ハードディスク１０５内に記録されている番組の一覧を表示する。この時、ファイルサーバ１１３側に移動済みの番組の番組タイトルやサムネイル、記録日時などの情報がハードディスク１０５中に記録されているので、これらの情報もハードディスク１０５内に記録されている番組の情報とともにサーバアイコン２０４を用いて表示できる。サーバアイコン２０４により、ハードディスク１０５中に記録されている番組と、ファイルサーバ１１３側に移動した番組を区別でき、ユーザにとって分かりやすい。
【００４８】
次に、ユーザは、表示された番組情報中から、カーソル２０２を使用して所望の番組を選択し、再生を行う。ハードディスク１０５中に記録されている番組を選択した場合、システム制御部１１０は、ハードディスク１０５から再生した信号がデコーダに入力されるようにデータバス１０４を制御する。ファイルサーバ１１３にある番組を選択した場合、ファイルサーバ１１３からデータをストリーミング放送の形で受け取り、再生を行う。もちろん、ファイルサーバ１１３の番組ファイルをハードディスク１０５に移動してから再生してもよい。
【００４９】
ネットワーク１１２の転送速度が十分に高ければ、ユーザは、ハードディスク１０５中に記録されているか、ファイルサーバ１１３上に記録されているかをほとんど意識とすることなく再生することが可能である。
【００５０】
以上説明したように、本発明の第一の実施例では、記録装置のハードディスクに記録されているファイルを必要に応じて自動的にサーバに移動するので、ユーザは記録装置中のハードディスクの残量を気にする必要がない。したがって、ハードディスクが一杯になり番組の記録ができなくなる恐れがない。よって、ユーザが意識的にファイルを消したりする必要もなく、利便性の高い記録装置を提供することができる。
【実施例２】
【００５１】
図４に本発明の第二の実施例を示す。
図４において、図１と同様の部分は同一番号を付記して、説明を省略する。
本実施例では、ハードディスク１０５からファイルサーバ１１３に番組ファイルを移動する際、エンコーダ１２０を使用して、番組ファイルのビットレートを下げることができる。以下、詳細に方法を説明する。システム制御部１１０はハードディスク１０５から番組ファイルを読み出し、データバス１０４を経由してデコーダ１０６に入力する。デコーダ１０６は入力された番組ファイルのストリームをデコードし、映像信号と音声信号に変換する。エンコーダ１２０はデコーダから映像信号と音声信号を受け取り、再度圧縮を行い、番組ファイルのストリームを生成する。ここでハードディスク１０５から読み出した番組ファイルのストリームよりも映像信号、音声信号の圧縮率を上げ、ビットレートを下げる。システム制御部１１０は、エンコーダ１２０が出力する番組ファイルのストリームをデータバス１０４、ネットワーク制御部１０８、ネットワーク１１２を経由してファイルサーバ１１３に格納する。システム制御部１１０は番組ファイルがファイルサーバ１１３に移動したことを確認するとハードディスク１０５内の番組ファイルを削除する。
【００５２】
一般的に、圧縮率を上げると画質が劣化するが、ファイルサーバ１１３側に移動を行なうファイルは、視聴する可能性の低い番組のファイルであり、画質劣化が生じてもあまり問題とはならない。ファイルの圧縮率を上げることにより、ファイルのサイズを小さくすることができるので、短時間でファイルの移動ができ、さらには記録容量が少なくて済むため、ファイルサーバ上により多くのファイルを保存することができるようになる。
【００５３】
また、本実施例では、ハードディスク１０５からファイルサーバ１１３に番組ファイルを移動する際、暗号化部１２１を使用して、ユーザが番組ファイルにパスワードないし暗号を付加して移動することもできる。以下、詳細に方法を説明する。システム制御部１１０は、ハードディスク１０５から番組ファイルを読み出し、ネットワーク制御部１０８に移動する際、暗号化部１２１を経由するようにデータバス１０４を制御する。暗号化部１２１は、番組ファイルに対してシステム制御部１１０から指示された方法で暗号化を行い、ネットワーク制御部１０８に送信する。暗号化されたファイルを記録装置１００で再生する場合、システム制御部１１０はネットワーク制御部１０８を通じて読み出した、暗号化された番組ファイルを暗号化部１２１を用いて暗号を解き、データバス１０４に出力するよう制御を行う。番組ファイルを暗号化してファイルサーバ１１３に記録することで、他のユーザが勝手に再生することを防止できる。もちろん、ファイルサーバ上にファイルを保存する際に、ユーザ毎あるいは記録装置毎に異なったディレクトリ上に記録し、ディレクトリ毎にユーザからのアクセスを制限するなど様々な変形が可能である。
【００５４】
また、本実施例では、記録装置１００に内蔵されたディスクドライブ１２２を用いて、ハードディスク１０５、もしくはファイルサーバ１１３に記録された番組ファイルを一定の単位でリムーバブルディスク１２３に移動させることができる。ここでリムーバブルディスクの例として、Ｂｌｕ−ｒａｙディスクやＤＶＤなどの光ディスクが挙げられる。
【００５５】
以下、図３を併用して説明を行う。同図において、記録装置１００はＭＰＥＧ−ＴＳに多重された情報などからドラマＡは１３回で完結のドラマであること、記録している番組が何回目にあたるものかを得て、画面に表示する。ここでドラマＡを１３回分記録したとき、システム制御部１１０はハードディスク１０５もしくはファイルサーバ１１３からドラマＡの番組ファイルを読み出し、ディスクドライブ１２２を通じてリムーバブルディスク１２３に書き込み、ハードディスク１０５もしくはファイルサーバ１１３に記録された番組ファイルを削除する。ドラマＡの番組ファイルの総サイズがリムーバブルディスク１２３の容量を上回る場合は、システム制御部１１０はデコーダ１０６、エンコーダ１２０を利用して、番組ファイルの圧縮率を変更し、ちょうどリムーバブルディスク１２３に収まるようにする。ユーザはドラマＡの視聴が終わった段階で、ドラマＡに関するリムーバブルディスクを得ることができ、ファイルサーバ１１３に雑多なファイルが格納されて残り容量が足りなくなったときに、整理する作業を軽減できる。一般的にハードディスクよりも光ディスクのほうがビットあたりの単価が安いため、ハードディスクから光ディスクへの番組ファイルの移動はコスト面から言っても有効である。ドラマＡの番組ファイルの総サイズをリムーバブルディスク１２３に収まるように圧縮率を変更した場合、著しく画質が損なわれる場合は、２枚のリムーバブルディスク１２３に収まるように圧縮してもよい。リムーバブルディスク１２３に移動した番組ファイルはディスクアイコン２０３を表示して番組ファイルがリムーバブルディスクにあることを図示すと、ユーザは容易に番組ファイルがリムーバブルディスクにあることが理解できる。
【００５６】
また、本実施例では図５に示すように番組をカテゴリごとにフォルダに分類し、フォルダごとに空き容量が不足した時の対応を決めてもよい。ユーザは番組予約時にフォルダ２０１を選択し、記録するフォルダを選択する。フォルダによって、ハードディスク１０５の空き容量が不足した場合の対応が決められており、例えば「ドラマ」は再圧縮してファイルサーバ１１３に移動、「映画」は再圧縮せずにファイルサーバ１１３に移動、「とりあえず」は再圧縮してハードディスク１０５に保存などとする。再圧縮してハードディスク１０５に保存する場合、図６に示すように回数により圧縮率を変更する設定をしてもよい。図６では、１回目の再圧縮をする場合は８０％の圧縮を行い、同じファイルに対し２回目の圧縮を行う場合は５０％にし、３回目の場合は０％、つまり削除する、としている。ファイル整理を段階的に行うことで、一定期間後にファイルを削除する場合と比較して柔軟なファイル管理が可能となる。もちろん、図７に示すようにユーザの制御により意図的にファイル転送／再圧縮／削除を行なう機能を有してもよい。図７は記録装置１００がハードディスク１０５の残り容量が不足していることを検知したときに表示され、ラジオボタン２０５で番組メニュー２０６のソート方法を選択し、整理する番組ファイルを選択するとサブメニュー２０７が開き、整理する方法を選択できる。
【００５７】
なお、以上の各実施例において、ネットワークおよびファイルサーバは、インターネットおよびサービスプロバイダ等が提供するファイルサーバに限られない。例えば、ホームネットワークおよび、ホームネットワークに接続されるホームサーバあるいはファイルサーバであっても構わない。
【００５８】
また、以上の各実施例において、記録装置の各動作を説明したが、これは記録装置にハードウェアで構成されても、あるいはソフトウェアで構成されても良いことは言うまでもない。例えば、記録装置にソフトウェアを後からインストールすることにより、本発明を実施する記録装置を構成することも可能である。
【図面の簡単な説明】
【００５９】
【図１】本発明の第一の実施例を示す図
【図２】本発明の第一の実施例において、番組ファイル移動の手順を示す図
【図３】番組ファイル再生時に、番組ファイルの再生を選択する画面を示した図
【図４】本発明の第二の実施例を示す図
【図５】番組ファイルの記録時にフォルダを選択する画面を示した図
【図６】再圧縮の回数により、圧縮率を変更する設定を行う画面を示した図
【図７】ユーザと対話的にファイルの移動方法を決定する画面を示した図
【符号の説明】
【００６０】
１００ … 記録装置
１０１ … アンテナ
１０２ … アンテナ入力端子
１０３ … チューナー
１０４ … データバス
１０５ … ハードディスク
１０６ … デコーダ
１０７ … 表示部
１０８ … ネットワーク制御部
１０９ … ネットワーク端子
１１０ … システム制御部
１１１ … リモコン受信部
１１２ … ネットワーク
１１３ … ファイルサーバ
１１４ … 表示部接続端子
１２０ … エンコーダ
１２１ … 暗号化部
１２２ … ディスクドライブ
１２３ … リムーバブルディスク
【図１】
2006060630.tif 000003
【図２】
2006060630.tif 000004
【図３】
2006060630.tif 000005
【図４】
2006060630.tif 000006
【図５】
2006060630.tif 000007
【図６】
2006060630.tif 000008
【図７】
2006060630.tif 000009